(57)【要約】【課題】床パネルを振動させたときに、床パネルと巾木の下端との衝突エネルギーを抑制することができ、これらの衝突により発生する衝撃音を低減することができる二重床構造を提供すること。【解決手段】スラブＳの上面側で空間Ｃを形成する所定の高さ位置に床パネル１０を配置して二重床が形成されている。床パネル１０は、その外周上面部が巾木の下端以下となるように設置されている。床パネル１０の外周領域には、撓み促進部１５が設けられている。撓み促進部１５は、溝１５Ａ等により構成された切欠部を含んで構成されている。【選択図】　　　　　図１
2004068493.tif 000002
【特許請求の範囲】
【請求項１】
スラブの上面側で一定の空間を形成する高さ位置に配置されるとともに、外周上面部が巾木の下端以下となる床パネルを含む二重床構造であって、
前記床パネルの外周領域に撓み促進部を設けたことを特徴とする二重床構造。
【請求項２】
前記撓み促進部は切欠部を含んで構成されていることを特徴とする請求項１記載の二重床構造。
【請求項３】
前記撓み促進部は、前記外周領域の下面側に設けられた緩衝材を含んで構成されていることを特徴とする請求項１又は２記載の二重床構造。
【発明の詳細な説明】
【０００１】
【発明の属する技術分野】
本発明は、二重床構造に係り、特に、床パネルから巾木への振動伝播を低減することができる二重床構造に関する。
【０００２】
【従来の技術】
従来より、コンクリート製のスラブ等からなる躯体の上面側に一定の空間を形成するように床パネルを配置した二重床が知られている。この二重床を形成する場合、壁面に床パネルの端部を突き付けて固定際根太上に床パネルを配置した後、床パネルの外周上面領域に乗せるように巾木を壁面に取り付ける形態が一般的である。
【０００３】
しかしながら、このような二重床にあっては、床パネルの端部が巾木及び壁面に接する構造であるため、床パネルに加えられる衝撃により発生した振動が殆ど減衰することなく巾木若しくは壁面等の躯体に伝播してしまい、階下に大きな床衝撃音を発生してしまうという不都合がある。
【０００４】
そこで、床パネルの端部と壁面との間、及び、床パネルの外周上面部と巾木の下端との間に隙間をそれぞれ設けるとともに、床パネルの外周下面側に際根太を用いることなく支持する形態が存在する。これによれば、床パネルと巾木及び壁面とが離れることとなり、これらを経由する振動伝播を直接的に遮断できるようになる。
【０００５】
【発明が解決しようとする課題】
しかしながら、このような支持形態にあっては、床パネルに衝撃が加えられたときに、床パネルの外周上面部が水平位置に対して上方に数ミリ程度変位する振動を発生する。これにより、床パネルが巾木の下端を叩いて二次加振を発生させてしまい、期待する遮音性能を得ることができなくなるという不都合を生じる。ここで、巾木の下端と床パネルの上面との隙間を大きくすれば、床パネルの外周部が巾木の下端を叩いてしまうことはなくなるが、これでは、床パネルの端部を隠蔽するという巾木本来の機能を果たせなくなるという別異の不都合を招来する。
【０００６】
【発明の目的】
本発明は、このような不都合に着目して案出されたものであり、その目的は、床パネルの振動による巾木との衝突エネルギーを抑制することができ、床パネルと巾木との衝突により発生する衝撃音を低減することができる二重床構造を提供することにある。
【０００７】
【課題を解決するための手段】
前記目的を達成するため、本発明は、スラブの上面側で一定の空間を形成する高さ位置に配置されるとともに、外周上面部が巾木の下端以下となる床パネルを含む二重床構造であって、
前記床パネルの外周領域に撓み促進部を設ける、という構成を採っている。このような構成によれば、床パネルの外周領域に他の領域よりも大きい可撓性を持たせることができ、床パネルに衝撃を加えられて振動が発生しても、外周領域における衝撃加振力のピーク値を抑制することが可能となる。これにより、床パネルの端部を巾木により隠蔽しつつ、これらの衝突エネルギーを効果的に緩和することができ、階下で発生する床衝撃音を低減することが可能となる。
【０００８】
【発明の実施の形態】
本発明において、前記撓み促進部は切欠部を含んで構成することが好ましい。このような構成を採れば、床パネルに僅かな形状変更を加えるだけで、床パネルの外周領域に十分な可撓性を付与することができる。
【０００９】
また、前記撓み促進部は、前記外周領域の下面側に設けられた緩衝材を含んで構成される、という構成も併せて採用することができる。このような構成により、緩衝材の作用により振動吸収効果を得ることができ、床パネルと巾木との衝突による振動伝播をより良く低減することが可能となる。
【００１０】
【実施例】
以下、本発明の実施例を図面を参照しながら説明する。
【００１１】
［第１実施例］
図１には、第１の実施例に係る二重床の部分断面正面図が示されている。この図において、コンクリート製のスラブＳの上面側で空間Ｃを形成する所定の高さ位置に床パネル１０を配置して二重床が形成されている。この床パネル１０は、前記スラブＳ上に設置されて床パネル１０の下面側に配置された防振支持具１１を介して支持されている。
【００１２】
前記床パネル１０は、特に限定されるものではないが、本実施例では、下地パネル１３と、その上面に敷設されたフローリング等からなる仕上げパネル１４との複層構造体によって構成されている。下地パネル１３の外周端部は、壁面Ｗに対して隙間Ｓ１を形成するように配置されている。また、仕上げパネル１４の外周端部は、隙間Ｓ１よりも小さな隙間Ｓ２を壁面Ｗとの間に形成する一方、仕上げパネル１４の外周上面部は、上部に位置する巾木Ｈの下端に対して隙間Ｓ３を形成するように配置されている。なお、仕上げパネル１４は、本実施例では、約１２ｍｍの板厚のものが用いられている。
【００１３】
床パネル１０の外周領域、すなわち、仕上げパネル１４の外周端部に隣接する領域には、撓み促進部１５が形成されている。この撓み促進部１５は、仕上げパネル１４の下面側における隙間Ｓ２の上方領域を部分的に切り欠くように形成されている。具体的には、撓み促進部１５は、仕上げパネル１４の外周端部に沿う方向（図１中紙面直交方向）に延びる切欠部としての三条の溝１５Ａにより構成されている。各溝１５Ａの形状としては、溝深さを約４ｍｍ以上、溝幅を約１〜１．５ｍｍに設定することが例示できる。
【００１４】
前記防振支持具１１は、図１に示されるように、床パネル１０の下面側に位置する平面視略方形の受け板１７と、この受け板１７の中央部下面側に位置する支持脚１８と、この支持脚１８を支える防振弾性体１９と、当該防振弾性体１９の外周側に装着されるとともに、金属若しくは樹脂製の略円筒状をなす錘部材２０とを構えて構成されている。
【００１５】
支持脚１８は、上下方向に軸線が向けられたナット部材１８Ａと、このナット部材１８Ａの上端側からねじ込まれて上下方向に進退可能なボルト１８Ｂとからなり、このボルト１８Ｂの上端は、図示しないナットを介して前記受け板１７に固定されている。
【００１６】
前記防振弾性体１９はゴム製であり、当該防振弾性体１９は、略円盤状をなす内周弾性部２１と、この内周弾性部２１と一体に成形されるとともに、当該内周弾性部２１と略同心円上に設けられた略円筒状の外周弾性部２２とにより構成されている。内周弾性部２１は、前記支持脚１８のナット部材１８Ａを上部中央で支持する一方、下面がコンクリートスラブＳとの間に空間Ｃ１を形成する高さに設けられ、上方からの衝撃に対して剪断力を受ける領域が形成されるようになっている。この内周弾性部２１は、ナット部材１８Ａ回りにおいて、上方に向かうに従って次第に縮径する傾斜面となる二段階のテーパ面部を備え、下面外周側にも同様に縮径する傾斜面となるテーパ面部を備えた形状に設けられ、これにより、ナット部材１８Ａの支持安定性が確保されると同時に、上方から加えられる衝撃によって剪断方向に変形する時の一定の抵抗が付与されるようになっている。
【００１７】
前記外周弾性部２２は、その硬度が内周弾性部２１の硬度よりも相対的に大きな材質により構成されている。この外周弾性部２２は、その下面側が内周弾性部２１の下面よりも低位置に設けられてスラブＳへの設置部とされている。この外周弾性部２２の外周面には、上下方向中間部に段部２５が形成されており、この段部２５により、外周弾性部２２の上部外径が下部外径よりも小径とされ、錘部材２０を下側から支持するようになっている。また、外周弾性部２２の下面は周方向に沿って延びるとともに略同心円上に位置する複数の溝２６が形成され、これらの溝２６間に位置する設置部となる複数のひれ状部２８がスラブＳの上面に接して略水平方向に滑り難くされている。ここで、外周弾性部２２の設置部側には、前記空間Ｃ１を内外に連通させる通路２９が形成され、この通路２９により、内周弾性部２１が剪断方向に変形したときの空間Ｃ１内の空気逃げが行われる一方、元の位置に戻るときに外気を導入して空間Ｃ１内の負圧化を防止できるようになっている。
【００１８】
前記防振支持具１１において、床パネル１０に対して軽量床衝撃源によって加振されたときには、床パネル１０の撓み促進部１５がうねるようにして撓むようになり、巾木Ｈの下端を叩くような振幅があっても衝撃エネルギーを大きく減衰させたものとなり、階下に響くような床衝撃音の発生を回避することとなる。また防振支持具１１では、外周弾性部２２が圧縮変形してこれに対応する一方、重量床衝撃源によって加振されたときに内周弾性部２１が剪断方向に変形することでコンクリートスラブＳへの振動伝播を緩和することとなる。
【００１９】
図２は、床パネル１０に重量衝撃源により衝撃力が付与されたときの仕上げパネル１４と巾木Ｈとの衝撃の状態を、前記撓み促進部１５を設けた場合と、従来のように撓み促進部１５を設けない場合とを比較して示したものである。これらの図表から明らかなように、本発明の撓み促進部１５を採用した構造が従来構造よりも、衝撃を抑制できる点で有利であり、特に、衝撃加振力のピーク値を抑制できる点において優れていることが理解されるであろう。これは、溝１５Ａを形成したことにより仕上げパネル１４の可撓性が大きくなり、床パネル１４の外周領域においてしなるように変形することが要因と考えられる。
【００２０】
［第２実施例］
次に、本発明の第２の実施例を図３を参照しながら説明する。なお、以下の説明において、前記第１の実施例と同一若しくは同等の構成部分については必要に応じて同一符号を用いるものとし、説明を省略若しくは簡略にする。
【００２１】
第２の実施例は、仕上げパネル１４の下面側に緩衝材３１を設けて撓み促進部１５を構成したところに特徴を有する。この緩衝材３１は、仕上げパネル１４の外周領域下面側を薄肉となるように切り欠いて形成されたスペース３２内に配置され、下地パネル１３と仕上げパネル１４とにより挟み込まれるように保持されている。また、緩衝材３１は、本実施例では、ゴム等のクッション性を有する部材を用いて構成されている。なお、前記スペース３２の領域において仕上げパネル１４の下面側には、第１の実施例と略同様の構成をなす三条の溝１５Ａが形成されている。
【００２２】
従って、このような第２の実施例によれば、下地パネル１３と壁面Ｗと間の隙間Ｓ２が小さい設計としても、撓み促進部１５の撓みを実現することができ、前記第１の実施例と同様の作用、効果を得ることが可能となる。しかも、外部から目立たない位置で衝撃力の低減を図ることが可能となる。
【００２３】
なお、前記撓み促進部１５は、図示構成例に限定されるものでなく、種々の設計変更が可能である。例えば、前記溝１５Ａの形成数を増減させたり、断面形状において波状となる溝形状等も採用することができる。また、溝を設けることなく、仕上げパネル１４の外周板厚が相対的に薄くなるように下面側を切り欠くだけでもよい。要するに、本発明は、床パネル１０に衝撃が加えられたときに、当該床パネル１０の外周領域における撓みを促進できる構成とすれば足りる。
【００２４】
また、前記各実施例における防振支持具１１は、特に限定されるものでなく、支持脚１８の下端側に防振ゴムを固定しただけの簡易型としてもよい。
【００２５】
【発明の効果】
以上説明したように、本発明は、外周上面部が巾木の下端以下となる床パネルの外周領域に撓み促進部を設けたから、当該外周領域に可撓性を持たせることができ、床パネルの振動により巾木の下端を床パネルが叩く場合であっても、これらの間で発生する衝突音を効果的に低減することが可能となる。
【００２６】
また、撓み促進部が切欠部を含んで構成されているから、床パネルに僅かな加工を施すだけで、床パネルの外周領域に可撓性を付与することができる。
【００２７】
更に、床パネルにおける外周領域の下面側に緩衝材を設けて撓み促進部を構成した場合には、外周領域の振動を効果的に抑制することができ、床パネルと巾木との衝突エネルギーを低減して床衝撃音性能を良好に維持することが可能となる。
【図面の簡単な説明】
【図１】第１の実施例に係る二重床構造の要部を示す部分正面断面図。
【図２】前記実施例による床パネルと巾木との衝撃の状態を示す線図。
【図３】第２の実施例に係る二重床構造の図１と同様の部分正面断面図。
【符号の説明】
１０・・・床パネル、１５・・・撓み促進部、１５Ａ・・・溝（切欠部）、３１・・・緩衝材、Ｃ・・・空間、Ｈ・・・巾木、Ｓ・・・スラブ
【図１】
2004068493.tif 000003
【図２】
2004068493.tif 000004
【図３】
2004068493.tif 000005